(57)【要約】【課題】ステアリングホイールに外観良くフィニッシャを取り付ける。【解決手段】フィニッシャ２１は、上フィニッシャ３５と下フィニッシャ３６とを備える。ステアリングホイール本体２のスポーク部７のウレタン製の被覆部１０に、下フィニッシャ３６を接着して取り付ける。被覆部１０の表面に表皮部１１を取り付け、さらに、表皮部１１の上から上フィニッシャ３５を下フィニッシャ３６に係合して取り付ける。表皮部１１の背面側を下フィニッシャ３６の表皮支持部６１で支持したため、表示部４５を設けた上フィニッシャ３５の周辺部で被覆部１０の変形を防止し、見映えを向上できる。【選択図】　　　　図１
2004067000.tif 000002
【特許請求の範囲】
【請求項１】
変形可能な被覆部及びこの被覆部を覆う表皮部を備えたステアリングホイール本体と、このステアリングホイール本体に取り付けられるフィニッシャとを具備し、
前記フィニッシャは、
前記表皮部の外部に露出する露出部を備えた第１のフィニッシャと、
前記表皮部の背面側に当接する表皮支持部を備えた第２のフィニッシャとを備えた
ことを特徴とするステアリングホイール。
【請求項２】
表皮支持部は、被覆部の表面側と略面一をなす端部支持部と、この端部支持部から角部を介して第１のフィニッシャ側に面する側部支持部とを備えた
ことを特徴とする請求項１記載のステアリングホイール。
【請求項３】
第１のフィニッシャは、露出部を設けたフィニッシャ本体部と、このフィニッシャ本体部から突設された接続部とを備え、
第２のフィニッシャは、前記フィニッシャ本体部を囲む表皮支持部と、前記フィニッシャ本体部を収容可能な収容部と、前記接続部が接続される被接続部とを備えた
ことを特徴とする請求項１または２記載のステアリングホイール。
【請求項４】
収容部は、表面側を開口した平面略多角形状をなし、この収容部の角部には、表皮部の一部を収容可能な表皮収容部を備えた
ことを特徴とする請求項３記載のステアリングホイール。
【発明の詳細な説明】
【０００１】
【発明の属する技術分野】
本発明は、フィニッシャを備えたステアリングホイールに関する。
【０００２】
【従来の技術】
従来、例えば、自動車のステアリングホイールにおいて、金属製の芯金の周囲をウレタン製など弾性変形可能な被覆部で覆い、さらに、この被覆部を天然皮革あるいは人工皮革などの表皮部で覆った構成が知られている。そして、このようなステアリングホイールにおいて、例えば、実公平２−２５７４０号公報に示されるように、オーナメントなど別体の部品であるフィニッシャを取り付け、外観の向上を図った構成が知られている。
【０００３】
【発明が解決しようとする課題】
上記従来の構成において、表皮部に囲まれた部分にフィニッシャを埋め込むように取り付ける場合は、このフィニッシャにより表皮部を介して被覆部も押圧され、フィニッシャの周囲がなだらかに窪んでしまう問題を有している。また、ステアリングホイールに熱が加わった場合は、表皮部が収縮し、この表皮部に引っ張られたフィニッシャを浮き上げそうになる問題を有している。
【０００４】
本発明は、このような点に鑑みなされたもので、外観良くフィニッシャを取り付けできるステアリングホイールを提供することを目的とする。
【０００５】
【課題を解決するための手段】
請求項１記載のステアリングホイールは、変形可能な被覆部及びこの被覆部を覆う表皮部を備えたステアリングホイール本体と、このステアリングホイール本体に取り付けられるフィニッシャとを具備し、前記フィニッシャは、前記表皮部の外部に露出する露出部を備えた第１のフィニッシャと、前記表皮部の背面側に当接する表皮支持部を備えた第２のフィニッシャとを備えたものである。
【０００６】
そして、この構成では、第２のフィニッシャの表皮支持部が表皮部の背面側に当接するため、第１のフィニッシャをステアリングホイール本体に取り付けた状態でも、表皮部が背面側に落ち込むことが抑制され、外観が容易に向上する。
【０００７】
請求項２記載のステアリングホイールは、請求項１記載のステアリングホイールにおいて、表皮支持部は、被覆部の表面側と略面一をなす端部支持部と、この端部支持部から角部を介して第１のフィニッシャ側に面する側部支持部とを備えたものである。
【０００８】
そして、この構成では、表皮部が背面側に落ち込むことが抑制され、外観が容易に向上する。また、第１のフィニッシャと側部支持部との間に表皮部が挟み込まれ支持される。
【０００９】
請求項３記載のステアリングホイールは、請求項１または２記載のステアリングホイールにおいて、第１のフィニッシャは、露出部を設けたフィニッシャ本体部と、このフィニッシャ本体部から突設された接続部とを備え、第２のフィニッシャは、前記フィニッシャ本体部を囲む表皮支持部と、前記フィニッシャ本体部を収容可能な収容部と、前記接続部が接続される被接続部とを備えたものである。
【００１０】
そして、この構成では、ステアリングホイール本体に第２のフィニッシャを取り付け、この第２のフィニッシャに第１のフィニッシャを取り付けることにより、フィニッシャが容易に取り付けられる。
【００１１】
請求項４記載のステアリングホイールは、請求項３記載のステアリングホイールにおいて、収容部は、表面側を開口した平面略多角形状をなし、この収容部の角部には、表皮部の一部を収容可能な表皮収容部を備えたものである。
【００１２】
そして、この構成では、角部に余った表皮を表皮収容部に収容し、外観が容易に向上する。
【００１３】
【発明の実施の形態】
以下、本発明のステアリングホイールの一実施の形態を図面を参照して説明する。
【００１４】
図１ないし図４において、１は自動車のステアリングホイールで、このステアリングホイール１は、ステアリングホイール本体２と、このステアリングホイール本体２の乗員側に装着される図示しないパッド体としてのエアバッグ装置（エアバッグモジュール）とを備えている。なお、ステアリングホイール１は、通常傾斜した状態で車両に備えられるステアリングシャフトに装着されるものであるが、以下、中立位置において、エアバッグ装置の乗員側すなわち正面側を上側、ステアリングシャフト側すなわち背面側を下側、車両の前側すなわち前側上方のフロントガラス側を前側、車両の後側すなわち後側下方を後側あるいは手前側として説明する。
【００１５】
そして、ステアリングホイール本体２は、図３などに示すように、円環状をなす把持部であるリム部（リング部）５と、このリム部５の内側に位置するボス部６と、これらリム部５とボス部６とを連結する複数の、本実施の形態では３本のスポーク部７とから構成されている。また、ボス部６の車体側となる下部には、ステアリングシャフトに嵌着される略円筒状のボス８が設けられているとともに、このボス８に、ハブコアとも呼ばれる芯体を構成するボスプレート９がマグネシウム合金などをダイカストで鋳ぐるむなどして一体的に固着されている。そして、このボスプレート９から、スポーク部７の芯金７ａが一体に延設され、あるいは溶接などして固着されている。さらに、このスポーク部７の芯金７ａに、リム部５の図示しない芯金が溶接などして固着されている。そして、これらリム部５の芯金の全周の表面側と、スポーク部７の芯金７ａのリム部５側の部分との表面側には、ウレタン製など、弾性変形可能な軟質の発泡ポリウレタンなどからなる被覆部１０が形成されている。さらに、この被覆部１０の表面には、天然皮革あるいは人工皮革などのシート状の表皮部１１が配置され、いわゆる革巻きステアリングホイールが構成されている。また、この被覆部１０で覆われないボス部６及びスポーク部７のボス部６側の部分は、上側がエアバッグ装置で覆われ、下側には裏カバーあるいはボディカバーとも呼ばれる樹脂製の下部カバーが取り付けられている。
【００１６】
さらに、手前側のスポーク部７には、フィニッシャ取付部２０が設けられ、このフィニッシャ取付部２０にフィニッシャ２１が取り付けられている。そして、フィニッシャ取付部２０は、被覆部１０に形成された被覆部側取付部２３と、表皮部１１に形成された表皮部側取付部２４とを備えている。そして、被覆部側取付部２３は、上面を開口し両側方向を長手方向として凹設された第１凹部２６と、この第１凹部２６からさらに下側に凹設された２個の第２凹部２７と、第１凹部２６の後側部から後側方に凹設された第３凹部２８とを備えている。第１凹部２６は、第２のフィニッシャ受入部であり、平面略矩形状で、かつ、下方に向かって面積が小さくなる断面略台形状に形成されている。また、各第２凹部２７は、接続部受入部であり、それぞれ有底円孔状に形成されている。さらに、第３凹部２８は、位置決め部であり、上側に開口する溝状に形成されている。一方、表皮部側取付部２４は、表皮部１１を切断したもので、本実施の形態では、両側方向を長手方向とする第１の切線３１と、この第１の切線３１の端部からそれぞれ離間するように傾斜して延設された複数の第２の切線３２とを備えている。
【００１７】
また、フィニッシャ２１は、第１のフィニッシャとしての上フィニッシャ（フィニッシャＵＰＲ）３５と、第２のフィニッシャとしての下フィニッシャ（フィニッシャＬＷＲ）３６とを備えている。そして、上フィニッシャ３５は、合成樹脂にて一体に形成された装飾体であり、芯体であるフィニッシャ本体部４１と、このフィニッシャ本体部４１の背面から突設された２個の接続部４２と、フィニッシャ本体部４１の背面から突設された位置決め突部４３とが一体に形成されている。そして、フィニッシャ本体部４１の表面部は、露出部としての表示部４５で、例えば、全体としては略平面状で、車種などを示す表示が塗装及び立体的に設けられている。また、接続部４２は、フィニッシャ本体部４１に連続する円柱状の軸部４７と、この軸部４７の先端部すなわち下端部に設けられた係合部４８とを備えている。そして、この係合部４８は、一部が軸部４７よりも径寸法が大きく、先端側が挿入を案内する傾斜面である案内部４８ａとなり、基端側には、係止部４８ｂが形成されている。さらに、接続部４２には、係合部４８の先端側から軸部４７の一部にかけて、溝部４９が形成され、案内部４８ａに力を加えた状態で、係合部４８の径寸法を小さくできるようになっている。また、位置決め突部４３は、中心から偏った位置に形成され、すなわち、上フィニッシャ３５の回転対称ではない位置に形成されている。
【００１８】
一方、下フィニッシャ３６は、被覆部１０よりも硬質で、合成樹脂にて上側を開口した略箱状に形成されている。すなわち、下フィニッシャ３６は、略水平矩形板状の底板部５１と、この底板部５１の４辺から上側に拡開状に傾斜して立ち上げられた側板部５２とを備え、これら底板部５１及び側板部５２に囲まれた部分が、収容部５３となっている。そして、底板部５１には、被接続部としての２個の係合孔５５と、これら係合孔５５同士の間に位置する位置決め受部５６及び底部支持部５７が形成されている。そして、係合孔５５は、円孔状をなし、さらに、上側から下側に向かって径寸法が小さくなるように形成されている。また、位置決め受部５６は、底板部５１を貫通する角孔状に形成されている。さらに、底部支持部５７は、底板部５１の上面から上側に向かい、係合孔５５及び位置決め受部５６の位置を除いて突設されている。また、側板部５２の、開口部に沿った上端部及び上端部の内周の角部が、枠状をなす表皮支持部６１となっている。すなわち、この表皮支持部６１は、被覆部１０の表面側と略面一をなす端部支持部６１ａと、この端部支持部６１ａから角部６１ｂを介して上フィニッシャ３５のフィニッシャ本体部４１側に面するように傾斜した側部支持部６１ｃとを備えている。また、側板部５２の、角部の内側は、円弧状にくりぬくように凹部が形成され、表皮収容部６３が形成されている。さらに、側板部５２の後側面の外側には、位置決め部である位置決め突部６５が形成されている。
【００１９】
次に、このフィニッシャ２１のフィニッシャ取付部２０への取り付け動作を説明する。
【００２０】
まず、スポーク部７の被覆部側取付部２３に下フィニッシャ３６を嵌め込み接着などして取り付ける。この際、位置決め突部６５を第３凹部２８に挿入して位置合わせをする。次いで、この下フィニッシャ３６を覆うように、被覆部１０の表面に表皮部１１を取り付ける。次いで、位置決め突部４３と位置決め受部５６とで位置合わせしつつ、表皮部１１の表皮部側取付部２４から上フィニッシャ３５を挿入することにより、フィニッシャ２１の取り付け動作が完了する。すなわち、この状態で、上フィニッシャ３５のフィニッシャ本体部４１が下フィニッシャ３６の収容部５３に収容され、上フィニッシャ３５の係合部４８が下フィニッシャ３６の係合孔５５に圧入して係合して抜け止めされる。すなわち、案内部４８ａが係合孔５５の周面に摺接して係合部４８が縮径し、係合孔５５を抜けた状態で、復帰変形して係合部４８の係止部４８ｂが係合孔５５の下端の縁部に係止される。また、この状態で、フィニッシャ本体部４１と下フィニッシャ３６の側部支持部６１ｃとの間に表皮部１１すなわち表皮部側取付部２４の端末部が挟み込まれる。また、フィニッシャ本体部４１の角部付近で余った表皮部１１は、下フィニッシャ３６の表皮収容部６３に収容される。さらに、フィニッシャ本体部４１の底面には底部支持部５７が当接し、フィニッシャ本体部４１の表示部４５が、表皮部１１の表面と面一になる。
【００２１】
このように、本実施の形態によれば、下フィニッシャ３６を被覆部１０に取り付け、さらに、表皮部１１の上側から上フィニッシャ３５を加圧して下フィニッシャ３６に取り付けることで、フィニッシャ２１を取り付けできる。
【００２２】
また、上フィニッシャ３５と下フィニッシャ３６との間に表皮部１１を入れ込み、表皮部１１の背面側を下フィニッシャ３６の表皮支持部６１で支持したため、表示部４５を設けた上フィニッシャ３５の周辺部で表皮部１１が被覆部１０に直接接触しない。そこで、表皮部１１に押圧されて被覆部１０が変形することによる、上フィニッシャ３５の表示部４５と表皮部１１との合わせ部分に生じる表皮部１１のアール状の変形を最小限に抑制し、見映えを向上でき、商品性を向上できる。
【００２３】
特に、表皮支持部６１は、被覆部１０の表面側と略面一をなす端部支持部６１ａと、この端部支持部６１ａから角部６１ｂを介して上フィニッシャ３５のフィニッシャ本体部４１側に向かう傾斜した側部支持部６１ｃとを備えたため、表皮部１１が背面側に落ち込むことを抑制し、表皮部１１を上フィニッシャ３５の表示部４５に近接して配置し、外観を容易に向上できる。
【００２４】
さらに、ステアリングホイール１に熱が加わった場合、表皮部１１が縮もうとする力が生じるが、表皮部１１が縮もうとする力は下フィニッシャ３６が受けるため、被覆部１０に力が加わらず、上フィニッシャ３５の周辺部の表皮部１１の変形を最小限に抑制し、上フィニッシャ３５の浮き上がりを防止できる。
【００２５】
また、下フィニッシャ３６の四隅の角部には、表皮収容部６３を設けたため、これら角部で余った表皮部１１を収容し、しわの発生を抑制して、外観を向上できる。
【００２６】
また、互いに嵌合する第３凹部２８と位置決め突部６５、及び位置決め突部４３と位置決め受部５６を設けたため、上フィニッシャ３５及び下フィニッシャ３６の誤組み付けを容易に防止できる。
【００２７】
なお、上記の実施の形態では、下フィニッシャ３６はステアリングホイール本体２の被覆部１０に接着し、上フィニッシャ３５は下フィニッシャ３６に係合して取り付けたが、この構成に限られず、係合及び接着などを単独で、あるいは組み合わせて用いることができる。例えば、上フィニッシャ３５は下フィニッシャ３６に係合及び接着して取り付けることもできる。また、上フィニッシャ３５は、下フィニッシャ３６に係合するとともに、ステアリングホイール本体２の被覆部１０に係合あるいは接着となどして固定することもできる。
【００２８】
例えば、図５に示すように、上フィニッシャ３５の接続部４２の先端部から、傾斜面である案内部７１ａと係止部７１ｂとを備えた圧入部７１を突設し、この圧入部７１を被覆部１０に圧入して食い込ませ、上フィニッシャ３５を被覆部１０に係合して抜け止めすることもできる。
【００２９】
【発明の効果】
請求項１記載のステアリングホイールによれば、第２のフィニッシャの表皮支持部が表皮部の背面側に当接するため、第１のフィニッシャをステアリングホイール本体に取り付けた状態でも、表皮部が背面側に落ち込むことを抑制し、外観を容易に向上できる。
【００３０】
請求項２記載のステアリングホイールによれば、請求項１記載の効果に加え、表皮支持部は、被覆部の表面側と略面一をなす端部支持部と、この端部支持部から角部を介して第１のフィニッシャ側に面する側部支持部とを備えたため、表皮部が背面側に落ち込むことを抑制し、外観を容易に向上できる。また、第１のフィニッシャと側部支持部との間に表皮部を挟み込んで支持できる。
【００３１】
請求項３記載のステアリングホイールによれば、請求項１または２記載の効果に加え、第１のフィニッシャは、露出部を設けたフィニッシャ本体部と、このフィニッシャ本体部から突設された接続部とを備え、第２のフィニッシャは、フィニッシャ本体部を囲む表皮支持部と、フィニッシャ本体部を収容可能な収容部と、接続部が接続される被接続部とを備えたため、ステアリングホイール本体に第２のフィニッシャを取り付け、この第２のフィニッシャに第１のフィニッシャを取り付けることにより、フィニッシャが容易に取り付けられる。
【００３２】
請求項４記載のステアリングホイールによれば、請求項３記載の効果に加え、収容部は、表面側を開口した平面略多角形状をなし、この収容部の角部には、表皮部の一部を収容可能な表皮収容部を備えたため、角部に余った表皮を表皮収容部に収容し、外観を容易に向上できる。
【図面の簡単な説明】
【図１】本発明のステアリングホイールの一実施の形態を示す図４のＩ−Ｉ断面図である。
【図２】同上ステアリングホイールの一部の分解斜視図である。
【図３】同上ステアリングホイールの一部の平面図である。
【図４】同上ステアリングホイールの図３の一部を拡大した平面図である。
【図５】本発明のステアリングホイールの他の実施の形態を示す図４のＩ−Ｉ相当位置の断面図である。
【符号の説明】
１　　ステアリングホイール
２　　ステアリングホイール本体
１０　　被覆部
１１　　表皮部
２１　　フィニッシャ
３５　　第１のフィニッシャとしての上フィニッシャ
３６　　第２のフィニッシャとしての下フィニッシャ
４１　　フィニッシャ本体部
４２　　接続部
４５　　露出部としての表示部
５３　　収容部
５５　　被接続部としての係合孔
６１　　表皮支持部
６１ａ　　端部支持部
６１ｂ　　角部
６１ｃ　　側部支持部
６３　　表皮収容部
【図１】
2004067000.tif 000003
【図２】
2004067000.tif 000004
【図３】
2004067000.tif 000005
【図４】
2004067000.tif 000006
【図５】
2004067000.tif 000007